(57)【要約】【課題】地上デジタル放送のテレビ番組に関連する多種多様な情報の中から有用な情報を利用者のデジタルＴＶ端末に提供すること。【解決手段】コンテンツ出力装置１００は、種々の分野（ニュース、スポーツ、タレント、アーティスト、映画、グルメ、ショッピング、イベント、天気などの分野）に関連するコンテンツをこのコンテンツの優先順位と対応付けてサービスコンテンツＤＢ１５０ａに記憶し、放送局からＥＰＧ情報を取得した場合に、テレビ番組に関連するコンテンツの優先順位に基づいてサービスコンテンツＤＢ１５０ａからコンテンツを検索し、検索したコンテンツからコンテンツ情報を生成して放送局に出力する。【選択図】        図２
2008109497.tif 000002
【特許請求の範囲】
【請求項１】
テレビ番組に関連するコンテンツを出力するコンテンツ出力プログラムであって、
種々の分野に関連するコンテンツを当該コンテンツの優先順位と対応付けて記憶装置に記憶する記憶手順と、
ネットワークに接続された端末装置から前記記憶装置に記憶されたコンテンツに対するアクセス要求を取得した場合に、前記記憶装置に記憶されたコンテンツのアクセス制御を行い前記端末装置からのアクセス内容に基づいて前記コンテンツに対応付けられた優先順位を更新するアクセス制御手順と、
前記テレビ番組に対応するコンテンツの要求を取得した場合に、前記テレビ番組に関連するコンテンツの優先順位に基づいて前記記憶装置からコンテンツを検索し、検索したコンテンツを当該コンテンツの要求元に出力するコンテンツ検索制御手順と、
をコンピュータに実行させることを特徴とするコンテンツ出力プログラム。
【請求項２】
前記記憶手順は、前記コンテンツに対するアクセス頻度および／または前記コンテンツに対するユーザの評価値の高低をコンテンツの優先順位として前記記憶装置に記憶することを特徴とする請求項１に記載のコンテンツ出力プログラム。
【請求項３】
前記記憶装置に記憶されるコンテンツは、前記テレビ番組に対する利用者の意見を含み、前記コンテンツ検索制御手順は、前記記憶装置に記憶されたコンテンツのうち、前記コンテンツ要求元に出力したコンテンツが更新された場合に、更新されたコンテンツを要求元に出力することを特徴とする請求項１または２に記載のコンテンツ出力プログラム。
【請求項４】
前記記憶装置に記憶されるコンテンツは、前記テレビ番組が放送される地域の情報と当該地域を識別する識別情報とを対応付けた情報を含んでいることを特徴とする請求項１、２または３に記載のコンテンツ出力プログラム。
【請求項５】
テレビ番組に関連するコンテンツを出力するコンテンツ出力方法であって、
種々の分野に関連するコンテンツを当該コンテンツの優先順位と対応付けて記憶装置に記憶する記憶工程と、
ネットワークに接続された端末装置から前記記憶装置に記憶されたコンテンツに対するアクセス要求を取得した場合に、前記記憶装置に記憶されたコンテンツのアクセス制御を行い前記端末装置からのアクセス内容に基づいて前記コンテンツに対応付けられた優先順位を更新するアクセス制御工程と、
前記テレビ番組に対応するコンテンツの要求を取得した場合に、前記テレビ番組に関連するコンテンツの優先順位に基づいて前記記憶装置からコンテンツを検索し、検索したコンテンツを当該コンテンツの要求元に出力するコンテンツ検索制御工程と、
を含んだことを特徴とするコンテンツ出力方法。
【請求項６】
前記記憶工程は、前記コンテンツに対するアクセス頻度および／または前記コンテンツに対するユーザの評価値の高低をコンテンツの優先順位として前記記憶装置に記憶することを特徴とする請求項５に記載のコンテンツ出力方法。
【請求項７】
前記記憶装置に記憶されるコンテンツは、前記テレビ番組に対する利用者の意見を含み、前記コンテンツ検索制御工程は、前記記憶装置に記憶されたコンテンツのうち、前記コンテンツ要求元に出力したコンテンツが更新された場合に、更新されたコンテンツを要求元に出力することを特徴とする請求項５または６に記載のコンテンツ出力方法。
【請求項８】
前記記憶装置に記憶されるコンテンツは、前記テレビ番組が放送される地域の情報と当該地域を識別する識別情報とを対応付けた情報を含んでいることを特徴とする請求項５、６または７に記載のコンテンツ出力方法。
【請求項９】
テレビ番組に関連するコンテンツを出力するコンテンツ出力装置であって、
種々の分野に関連するコンテンツを当該コンテンツの優先順位と対応付けて記憶する記憶手段と、
ネットワークに接続された端末装置から前記記憶手段に記憶されたコンテンツに対するアクセス要求を取得した場合に、前記記憶手段に記憶されたコンテンツのアクセス制御を行い前記端末装置からのアクセス内容に基づいて前記コンテンツに対応付けられた優先順位を更新するアクセス制御手段と、
前記テレビ番組に対応するコンテンツの要求を取得した場合に、前記テレビ番組に関連するコンテンツの優先順位に基づいて前記記憶手段からコンテンツを検索し、検索したコンテンツを当該コンテンツの要求元に出力するコンテンツ検索制御手段と、
を備えたことを特徴とするコンテンツ出力装置。
【請求項１０】
前記記憶手段は、前記コンテンツに対するアクセス頻度および／または前記コンテンツに対するユーザの評価値の高低をコンテンツの優先順位として記憶することを特徴とする請求項９に記載のコンテンツ出力装置。
【請求項１１】
前記記憶手段に記憶されるコンテンツは、前記テレビ番組に対する利用者の意見を含み、前記コンテンツ検索制御手段は、前記記憶手段に記憶されたコンテンツのうち、前記コンテンツ要求元に出力したコンテンツが更新された場合に、更新されたコンテンツを要求元に出力することを特徴とする請求項９または１０に記載のコンテンツ出力装置。
【請求項１２】
前記記憶手段に記憶されるコンテンツは、前記テレビ番組が放送される地域の情報と当該地域を識別する識別情報とを対応付けた情報を含んでいることを特徴とする請求項９、１０または１１に記載のコンテンツ出力装置。
【発明の詳細な説明】
【技術分野】
【０００１】
本発明は、テレビ番組に関連するコンテンツを出力するに関するコンテンツ出力プログラム、コンテンツ出力方法およびコンテンツ出力装置に関するものである。
【背景技術】
【０００２】
近年、地上波デジタルテレビ放送（以下、地上デジタル放送と略記する）が開始され、放送局は、テレビ番組を高画質で利用者の端末（地上デジタル放送に対応したテレビなど；以下、デジタルＴＶ端末と表記する）に提供するとともに、放送中のテレビ番組と同期してテレビ番組に関連する種々の情報もデジタルＴＶ端末に提供している。例えば、利用者はデジタルＴＶ端末を利用することによって、料理番組を見ながら料理番組で紹介されている料理のレシピを参照したり、野球中継を見ながら選手の成績を参照したりすることができる。
【０００３】
なお、特許文献１では、地上デジタル放送のサービスを受けることができない環境下（例えば、地上デジタル放送の電波が届かない環境下）の端末装置であっても、インターネット回線を利用することによって、放送局が提供するテレビ番組と同期して当該番組に関連する情報を端末装置に提供可能とする技術が公開されている。
【０００４】
【特許文献１】特開２００５−１９７９９２号公報
【発明の開示】
【発明が解決しようとする課題】
【０００５】
しかしながら、上述した従来の技術では、テレビ番組に関連する情報を利用者に提供する場合に、利用者にとって不必要な情報（役に立たない情報）までデジタルＴＶ端末に出力してしまい、利用者がデジタルＴＶ端末に表示される情報を有効に利用することができないという問題があった。
【０００６】
すなわち、テレビ番組と同期して当該テレビ番組と単に関連する情報を利用者に提供するだけではなく、テレビ番組に関連する多種多様な情報の中から利用者にとって有用な情報をいかにして選択し、利用者に提供するのかということが極めて重要な課題となっている。
【０００７】
本発明は、上記に鑑みてなされたものであって、地上デジタル放送のテレビ番組に関連する多種多様な情報の中から有用な情報を利用者のデジタルＴＶ端末に提供することができる装置を提供することを目的とする。
【課題を解決するための手段】
【０００８】
上述した課題を解決し、目的を達成するために、本発明は、テレビ番組に関連するコンテンツを出力するコンテンツ出力プログラムであって、種々の分野に関連するコンテンツを当該コンテンツの優先順位と対応付けて記憶装置に記憶する記憶手順と、ネットワークに接続された端末装置から前記記憶装置に記憶されたコンテンツに対するアクセス要求を取得した場合に、前記記憶装置に記憶されたコンテンツのアクセス制御を行い前記端末装置からのアクセス内容に基づいて前記コンテンツに対応付けられた優先順位を更新するアクセス制御手順と、前記テレビ番組に対応するコンテンツの要求を取得した場合に、前記テレビ番組に関連するコンテンツの優先順位に基づいて前記記憶装置からコンテンツを検索し、検索したコンテンツを当該コンテンツの要求元に出力するコンテンツ検索制御手順と、をコンピュータに実行させることを特徴とする。
【０００９】
また、本発明は、上記発明において、前記記憶手順は、前記コンテンツに対するアクセス頻度および／またはコンテンツに対するユーザの評価値の高低をコンテンツの優先順位として前記記憶装置に記憶することを特徴とする。
【００１０】
また、本発明は、前記記憶装置に記憶されるコンテンツは、前記テレビ番組に対する利用者の意見を含み、前記コンテンツ検索制御手順は、前記記憶装置に記憶されたコンテンツのうち、前記コンテンツ要求元に出力したコンテンツが更新された場合に、更新されたコンテンツを要求元に出力することを特徴とする。
【００１１】
また、本発明は、前記記憶装置に記憶されるコンテンツは、前記テレビ番組が放送される地域の情報と当該地域を識別する識別情報とを対応付けた情報を含んでいることを特徴とする。
【００１２】
また、本発明は、テレビ番組に関連するコンテンツを出力するコンテンツ出力方法であって、種々の分野に関連するコンテンツを当該コンテンツの優先順位と対応付けて記憶装置に記憶する記憶工程と、ネットワークに接続された端末装置から前記記憶装置に記憶されたコンテンツに対するアクセス要求を取得した場合に、前記記憶装置に記憶されたコンテンツのアクセス制御を行い前記端末装置からのアクセス内容に基づいて前記コンテンツに対応付けられた優先順位を更新するアクセス制御工程と、前記テレビ番組に対応するコンテンツの要求を取得した場合に、前記テレビ番組に関連するコンテンツの優先順位に基づいて前記記憶装置からコンテンツを検索し、検索したコンテンツを当該コンテンツの要求元に出力するコンテンツ検索制御工程と、を含んだことを特徴とする。
【００１３】
また、本発明は、上記発明において、前記記憶工程は、前記コンテンツに対するアクセス頻度および／またはコンテンツに対するユーザの評価値の高低をコンテンツの優先順位として前記記憶装置に記憶することを特徴とする。
【００１４】
また、本発明は、上記発明において、前記記憶装置に記憶されるコンテンツは、前記テレビ番組に対する利用者の意見を含み、前記コンテンツ検索制御工程は、前記記憶装置に記憶されたコンテンツのうち、前記コンテンツ要求元に出力したコンテンツが更新された場合に、更新されたコンテンツを要求元に出力することを特徴とする。
【００１５】
また、本発明は、上記発明において、前記記憶装置に記憶されるコンテンツは、前記テレビ番組が放送される地域の情報と当該地域を識別する識別情報とを対応付けた情報を含んでいることを特徴とする。
【００１６】
また、本発明は、テレビ番組に関連するコンテンツを出力するコンテンツ出力装置であって、種々の分野に関連するコンテンツを当該コンテンツの優先順位と対応付けて記憶する記憶手段と、ネットワークに接続された端末装置から前記記憶手段に記憶されたコンテンツに対するアクセス要求を取得した場合に、前記記憶手段に記憶されたコンテンツのアクセス制御を行い前記端末装置からのアクセス内容に基づいて前記コンテンツに対応付けられた優先順位を更新するアクセス制御手段と、前記テレビ番組に対応するコンテンツの要求を取得した場合に、前記テレビ番組に関連するコンテンツの優先順位に基づいて前記記憶手段からコンテンツを検索し、検索したコンテンツを当該コンテンツの要求元に出力するコンテンツ検索制御手段と、を備えたことを特徴とする。
【００１７】
また、本発明は、上記発明において、前記記憶手段に記憶されるコンテンツは、前記テレビ番組に対する利用者の意見を含み、前記コンテンツ検索制御手段は、前記記憶手段に記憶されたコンテンツのうち、前記コンテンツ要求元に出力したコンテンツが更新された場合に、更新されたコンテンツを要求元に出力することを特徴とする。
【００１８】
また、本発明は、上記発明において、前記記憶手段に記憶されるコンテンツは、前記テレビ番組が放送される地域の情報と当該地域を識別する識別情報とを対応付けた情報を含んでいることを特徴とする。
【発明の効果】
【００１９】
本発明によれば、種々の分野に関連するコンテンツを当該コンテンツの優先順位と対応付けて記憶装置に記憶し、テレビ番組に対応するコンテンツの要求を取得した場合に、テレビ番組に関連するコンテンツの優先順位に基づいて記憶装置からコンテンツを検索し、検索したコンテンツを当該コンテンツの要求元に出力するので、テレビ番組に関連し、かつ利用者にとって有用な情報を要求元に出力することができる。
【００２０】
また、本発明によれば、ネットワークに接続された端末装置から記憶装置に記憶されたコンテンツに対するアクセス要求を取得した場合に、記憶装置に記憶されたコンテンツのアクセス制御を行うので、記憶装置に記憶された情報を有効に活用することができる。
【００２１】
また、本発明によれば、端末装置からのアクセス内容に基づいて記憶装置のコンテンツに対応付けられた優先順位を更新するので、コンテンツに対する優先順位の信頼性を向上させることができる。
【００２２】
また、本発明によれば、コンテンツに対するアクセス頻度の高低をコンテンツの優先順位として記憶装置に記憶するので、複数の一般利用者のアクセス状況によってコンテンツの優先順位をより正確に設定でき、テレビ番組に関連する有益な情報を出力することができる。
【００２３】
また、本発明によれば、コンテンツに対するユーザの評価値の高低をコンテンツの優先順位として前記記憶装置に記憶するので、複数の一般利用者の意見を反映したコンテンツの優先順位を設定することができ、テレビ番組に関連する有益な情報を出力することができる。
【００２４】
また、本発明によれば、記憶装置に記憶されるコンテンツは、テレビ番組に対する利用者の意見を含み、記憶装置に記憶されたコンテンツのうち、コンテンツ要求元に出力したコンテンツが更新された場合に、更新されたコンテンツを要求元に出力するので、テレビ番組に対するユーザの意見をリアルタイムに提供することができる。
【００２５】
また、本発明によれば、記憶装置に記憶されるコンテンツは、テレビ番組が放送される地域の情報と当該地域を識別する識別情報とを対応付けた情報を含んでいるので、地域と密接に関連する有益な情報を提供することができる。
【発明を実施するための最良の形態】
【００２６】
以下に、本発明にかかるコンテンツ出力プログラム、コンテンツ出力方法およびコンテンツ出力装置の実施例を図面に基づいて詳細に説明する。なお、この実施例によりこの発明が限定されるものではない。
【実施例】
【００２７】
まず、本実施例にかかるコンテンツ出力装置の概要および特徴について説明する。本実施例にかかるコンテンツ出力装置は、種々の分野（ニュース、スポーツ、タレント、アーティスト、映画、グルメ、ショッピング、イベント、天気などの分野）に関連するコンテンツをこのコンテンツの優先順位（コンテンツに対するアクセス頻度の高低、コンテンツに対する利用者の評価値の高低などをコンテンツの優先順位とする。具体的には、コンテンツに対するアクセス頻度が高いほど、コンテンツに対する評価値が高いほど優先順位が高くなる）と対応付けて記憶装置に記憶し、放送局からテレビ番組に対応するコンテンツの要求を取得した場合に、テレビ番組に関連するコンテンツの優先順位に基づいて記憶装置からコンテンツを検索し、検索したコンテンツを放送局に出力する。
【００２８】
このように、本実施例にかかるコンテンツ出力装置は、テレビ番組に関連するコンテンツの優先順位に基づいて記憶装置からコンテンツを検索し、検索したコンテンツを放送局に出力するので、放送局は、テレビ番組に関連し、かつ利用者にとって不要な情報を排除したコンテンツを利用者の端末に提供することができる。また、利用者は、テレビ番組に関連する多種多様な情報の中から有用な情報のみを閲覧することができる。
【００２９】
次に、本実施例にかかる地上デジタル放送システムの構成について説明する。図１は、本実施例にかかる地上デジタル放送システムの構成を示す図である。同図に示すように、この地上デジタル放送システムは、コンテンツ出力装置１００と、放送局２００と、デジタルＴＶ端末３００とからなり、コンテンツ出力装置１００は、インターネットなどのネットワーク５０を介して放送局２００と接続されている。
【００３０】
このうち、コンテンツ出力装置１００は、種々の分野に関連するコンテンツの情報を記憶し、放送局２００からテレビ番組に関連するコンテンツの要求を取得した場合に、テレビ番組に関連するコンテンツの優先順位に基づいて、コンテンツを検索し、検索したコンテンツを放送局２００に出力する装置である。
【００３１】
放送局２００は、テレビ番組およびテレビ番組に関連するコンテンツの情報を含んだ地上デジタル放送の信号をデジタルＴＶ端末３００に出力する放送局であり、デジタルＴＶ端末３００は、地上デジタル放送に対応した端末（テレビ、パーソナルコンピュータなど）である。
【００３２】
次に、図１に示したコンテンツ出力装置１００の構成について説明する。図２は、コンテンツ出力装置１００の構成を示す機能ブロック図である。同図に示すように、このコンテンツ出力装置１００は、入力部１１０と、出力部１２０と、通信制御ＩＦ部１３０と、入出力制御ＩＦ部１４０と、記憶部１５０と、制御部１６０とを備えて構成される。
【００３３】
このうち、入力部１１０は、各種の情報を入力する入力手段であり、キーボードやマウス、マイクなどによって構成される。なお、後述するモニタ（出力部１２０）も、マウスと協働してポインティングディバイス機能を実現する。出力部１２０は、各種の情報を出力する出力手段であり、モニタ（若しくはディスプレイ、タッチパネル）やスピーカなどによって構成される。
【００３４】
通信制御ＩＦ部１３０は、主に放送局２００との間における通信を制御する手段である。入出力制御ＩＦ部１４０は、入力部１１０、出力部１２０、通信制御ＩＦ部１３０、記憶部１５０、制御部１６０によるデータの入出力を制御する手段である。
【００３５】
記憶部１５０は、制御部１６０による各種処理に必要なデータおよびプログラムを記憶する記憶手段（格納手段）であり、特に本発明に密接に関連するものとしては、図２に示すように、サービスコンテンツＤＢ（Data  Base）１５０ａを備える。
【００３６】
サービスコンテンツＤＢ１５０ａは、種々の分野に関連するコンテンツを記憶する記憶手段である。図３は、サービスコンテンツＤＢ１５０ａのデータ構造の一例を示す図である。同図に示すように、このサービスコンテンツＤＢ１５０ａは、スポーツＤＢ１０と、ニュースＤＢ１１と、タレントＤＢ１２と、アーティストＤＢ１３と、映画ＤＢ１４と、グルメＤＢ１５と、ショッピングＤＢ１６と、イベントＤＢ１７と、天気ＤＢ１８と、掲示板ＤＢ１９と、評価ＤＢ２０と、アクセス頻度ＤＢ２１とを備える。
【００３７】
スポーツＤＢ１０は、スポーツに関連する各種の情報を記憶する記憶手段である。図４は、スポーツＤＢ１０のデータ構造の一例を示す図である。同図に示すように、このスポーツＤＢ１０は、スポーツ記事識別情報（スポーツＤＢ１０に記憶された各種の情報を識別する情報）と、表題と、スポーツ記事と、その他の詳細情報と、更新日時とを備える。例えば、スポーツＤＢ１０の一段目では、スポーツ記事識別情報「Ｐ０００１」の行に対応する情報が、２００６年１０月１日５時３０分に更新された旨が記憶されている。
【００３８】
ニュースＤＢ１１は、ニュースに関連する各種の情報を記憶する記憶手段である。図５は、ニュースＤＢ１１のデータ構造の一例を示す図である。同図に示すように、このニュースＤＢ１１は、ニュース記事識別情報（ニュースＤＢ１１に記憶された各種の情報を識別する情報）と、表題と、ニュース記事と、その他の詳細情報と、更新日時とを備える。例えば、ニュースＤＢ１１の１段目では、ニュース記事識別情報「Ｎ０００１」の行に対応する情報が、２００６年１０月２日６時３０分に更新された旨が記憶されている。
【００３９】
タレントＤＢ１２は、タレントに関連する各種の情報を記憶する記憶手段である。図６は、タレントＤＢ１２のデータ構造の一例を示す図である。同図に示すように、このタレントＤＢ１２は、タレント識別情報（タレントＤＢ１２に記憶された各タレントの情報を識別する情報）と、タレント名と、タレントが所属する所属事務所と、その他の詳細情報と、更新日時とを備える。例えば、タレントＤＢ１２の１段目では、タレント識別情報「Ｔ０００１」の行に対応する情報が、２００６年１０月１日５時３０分に更新された旨が記憶されている。
【００４０】
アーティストＤＢ１３は、アーティストに関連する各種の情報を記憶する記憶手段である。図７は、アーティストＤＢ１３のデータ構造の一例を示す図である。同図に示すように、このアーティストＤＢ１３は、アーティスト識別情報（アーティストＤＢ１３に記憶された各種の情報を識別する情報）と、アーティスト名と、アーティストが所属する所属事務所と、その他の詳細情報と、更新日時とを備える。例えば、アーティストＤＢ１３の１段目では、アーティスト識別情報「Ａ０００１」の行に対応する情報が、２００６年８月１日５時３０分に更新された旨が記憶されている。
【００４１】
映画ＤＢ１４は、映画に関連する各種の情報を記憶する記憶手段である。図８は、映画ＤＢ１４のデータ構造の一例を示す図である。同図に示すように、この映画ＤＢ１４は、映画識別情報（映画ＤＢ１４に記憶された各映画の情報を識別する情報）と、映画タイトル名と、制作会社と、出演者と、観客動員（観客動員のランキング）と、その他の詳細情報と、更新日時とを備える。例えば、映画ＤＢ１４の１段目では、映画識別情報「Ｓ０００１」の行に対応する情報が、２００６年８月２日６時３０分に更新された旨が記憶されている。
【００４２】
グルメＤＢ１５は、グルメに関連する各種の情報を記憶する記憶手段である。図９は、グルメＤＢ１５のデータ構造の一例を示す図である。同図に示すように、このグルメＤＢ１５は、グルメ記事識別情報（グルメＤＢ１５に記憶された各グルメ情報を識別する情報）と、表題と、グルメ記事と、郵便番号と、店舗情報と、その他の詳細情報と、更新日時とを備える。
【００４３】
例えば、グルメＤＢ１５の１段目では、グルメ記事識別情報「Ｇ０００１」の行に対応する情報が、２００６年１０月２日７時３０分に更新された旨が記憶されている。また、グルメＤＢ１５は、地域を特定可能な郵便番号が各種の情報と対応付けられて記憶されている。すなわち、郵便番号「２２０−××××」の行に対応する情報（グルメ記事識別情報「Ｇ０００１」の行に対応する情報）は、郵便番号「２２０−××××」によって特定される地域と関連している。
【００４４】
ショッピングＤＢ１６は、ショッピングに関連する各種の情報を記憶する記憶手段である。図１０は、ショッピングＤＢ１６のデータ構造の一例を示す図である。同図に示すように、このショッピングＤＢ１６は、ショッピング記事識別情報（ショッピングＤＢ１６に記憶された各ショッピングの情報を識別する情報）と、表題と、ショッピング記事と、郵便番号と、店舗情報と、その他の詳細情報と、更新日時とを備える。
【００４５】
例えば、ショッピングＤＢ１６の１段目では、ショッピング記事識別情報「Ｑ０００１」の行に対応する情報が２００６年９月２日７時３０分に更新された旨が記憶されている。また、ショッピングＤＢ１６は、地域を特定可能な郵便番号が各種情報と対応付けられて記憶されている。すなわち、郵便番号「４５０−××××」の行に対応する情報（ショッピング記事識別情報「Ｑ０００１」の行に対応する情報）は、郵便番号「４５０−××××」によって特定される地域と関連している。
【００４６】
イベントＤＢ１７は、様々な地域で行われるイベントに関連する各種の情報を記憶する記憶手段である。図１１は、イベントＤＢ１７のデータ構造の一例を示す図である。同図に示すように、このイベントＤＢ１７は、イベント記事識別情報（イベントＤＢ１７に記憶された各イベントの情報を識別する情報）と、表題と、イベント記事と、郵便番号と、その他の詳細情報と、更新日時とを備える。
【００４７】
例えば、イベントＤＢ１７の１段目では、イベント記事識別情報「Ｉ０００１」の行に対応する情報が２００６年９月６日６時３０分に更新された旨が記憶されている。また、イベントＤＢ１７は、地域を特定可能な郵便番号が各種情報と対応付けられて記憶されている。すなわち、郵便番号「５４０−××××」の行に対応する情報（イベント記事識別情報「Ｉ０００１」の行に対応する情報）は、郵便番号「５４０−××××」によって特定される地域と関連している。
【００４８】
天気ＤＢ１８は、各地の天気に関連する各種の情報を記憶する記憶手段である。図１２は、天気ＤＢ１８のデータ構造の一例を示す図である。同図に示すように、この天気ＤＢ１８は、天気記事識別情報（天気ＤＢ１８に記憶された各天気の情報を識別する情報）と、天気情報と、郵便番号と、その他の詳細情報と、更新日時とを備える。
【００４９】
例えば、天気ＤＢ１８の１段目では、天気記事識別情報「Ｗ０００１」の行に対応する情報が２００６年１０月２日９時４５分に更新された旨が記憶されている。また、天気ＤＢ１８は、地域を特定可能な郵便番号が各種情報と対応付けられて記憶されている。すなわち、郵便番号「２５０−××××」の行に対応する情報（天気記事識別情報「Ｗ０００１」の行に対応する情報）は、郵便番号「２５０−××××」によって特定される地域と関連している。
【００５０】
掲示板ＤＢ１９は、テレビ番組（例えば、放送局２００が放送するテレビ番組など）に対する利用者の意見などを記憶する記憶手段である。この利用者の意見は、コンテンツ出力装置１００が一般の利用者に公開するホームページの掲示板に登録される情報に対応する。図１３は、掲示板ＤＢ１９のデータ構造の一例を示す図である。同図に示すように、この掲示板ＤＢ１９は、掲示板識別情報（掲示版ＤＢ１９に記憶された各掲示板の情報を識別する情報）と、番組識別情報（放送局２００あるいはその他の放送局が放送するテレビ番組を識別する情報）と、掲示板情報（テレビ番組に対する利用者の意見の情報）と、その他の詳細情報と、更新日時を備える。例えば、掲示板ＤＢ１９の１段目では、掲示板識別情報「Ｋ０００１」の行に対応する情報が、２００６年１０月２日８時４５分に更新された旨が記憶されている。
【００５１】
評価ＤＢ２０は、スポーツＤＢ１０、ニュースＤＢ１１、タレントＤＢ１２、アーティストＤＢ１３、映画ＤＢ１４、グルメＤＢ１５、ショッピングＤＢ１６、イベントＤＢ１７、天気ＤＢ１８、掲示板ＤＢ１９に対する利用者の評価値を記憶する記憶手段である。図１４は、評価ＤＢ２０のデータ構造の一例を示す図である。同図に示すように、この評価ＤＢ２０は、識別情報と評価値とを備える。
【００５２】
評価ＤＢ２０の「識別情報」に登録される各識別情報Ｐ０００１、Ｐ０００２、・・・、Ｎ０００１、Ｎ０００２、・・・、Ｔ０００１、Ｔ０００２、・・・、Ａ０００１、Ａ０００２、・・・、Ｓ０００１、Ｓ０００２、・・・、Ｇ０００１、Ｇ０００２、・・・、Ｑ０００１、Ｑ０００２、・・・、Ｉ０００１、Ｉ０００２、・・・、Ｗ０００１、Ｗ０００２・・・、Ｋ０００１、Ｋ０００２・・・はそれぞれ、スポーツＤＢ１０のスポーツ記事識別情報、ニュースＤＢ１１のニュース記事識別情報、タレントＤＢ１２のタレント識別情報、アーティストＤＢ１３のアーティスト識別情報、映画ＤＢ１４の映画識別情報、グルメＤＢ１５のグルメ記事識別情報、ショッピングＤＢ１６のショッピング記事識別情報、イベントＤＢ１７のイベント記事識別情報、天気ＤＢ１８の天気記事識別情報、掲示板ＤＢ１９の掲示版識別情報に対応する。なお、本実施例では一例として、評価値を１０段階評価としている。この評価値に登録される数値が高いほど利用者の評価がよい。
【００５３】
評価ＤＢ２０の１段目では、識別情報「Ｐ０００１」の評価値が８となっている。すなわち、スポーツＤＢ１０のスポーツ記事識別情報「Ｐ０００１」の行の情報（スポーツ記事など）に対する利用者の評価値が８となる（図４参照）。評価ＤＢ２０の４段目では、識別情報「Ｎ０００１」の評価値が４となっている。すなわち、ニュースＤＢ１１のニュース記事識別情報「Ｎ０００１」の行の情報（ニュース記事など）に対する利用者の評価値が４となる（図５参照）。
【００５４】
評価ＤＢ２０の７段目では、識別情報「Ｔ０００１」の評価値が８となっている。すなわち、タレントＤＢ１２のタレント識別情報「Ｔ０００１」の行の情報に対する利用者の評価値が８となっている（図６参照）。評価ＤＢ２０の１０段目では、識別情報「Ａ０００１」の評価値が９となっている。すなわち、アーティストＤＢ１３のアーティスト識別情報「Ａ０００１」の行の情報に対する利用者の評価値が９となっている（図７参照）。
【００５５】
評価ＤＢ２０の１３段目では、識別情報「Ｓ０００１」の評価値が４となっている。すなわち、映画ＤＢ１４の映画識別情報「Ｓ０００１」の行の情報に対する利用者の評価値が４となっている（図８参照）。評価ＤＢ２０の１６段目では、識別情報「Ｇ０００１」の評価値が８となっている。すなわち、グルメＤＢ１５のグルメ記事識別情報「Ｇ０００１」に対する利用者の評価値が８となっている（図９参照）。
【００５６】
評価ＤＢ２０の１９段目では、識別情報「Ｑ０００１」の評価値が６となっている。すなわち、ショッピングＤＢ１６のショッピング記事識別情報「Ｑ０００１」の行の情報に対する利用者の評価値が６となっている（図１０参照）。評価ＤＢ２０の２２段目では、識別情報「Ｉ０００１」の評価値が７となっている。すなわち、イベントＤＢ１６のイベント記事識別情報「Ｉ０００１」に対する利用者の評価値が７となっている（図１１参照）。
【００５７】
評価ＤＢ２０の２５段目では、識別情報「Ｗ０００１」の評価値が５となっている。すなわち、天気ＤＢ１８の天気記事識別情報「Ｗ０００１」の行の情報に対する利用者の評価値が５となっている（図１２参照）。評価ＤＢ２０の２８段目では、識別情報「Ｋ０００１」の評価値が７となっている。すなわち、掲示板ＤＢ１９の掲示板識別情報「Ｋ０００１」に対する利用者の評価値が７となっている（図１３参照）。
【００５８】
アクセス頻度ＤＢ２１は、スポーツＤＢ１０、ニュースＤＢ１１、タレントＤＢ１２、アーティストＤＢ１３、映画ＤＢ１４、グルメＤＢ１５、ショッピングＤＢ１６、イベントＤＢ１７、天気ＤＢ１８、掲示板ＤＢ１９に記録された情報に対するアクセス回数を記憶する記憶手段である。図１５は、アクセス頻度ＤＢ２１のデータ構造の一例を示す図である。同図に示すように、アクセス頻度ＤＢ２１は、識別情報と利用者からのアクセス回数からなる。アクセス回数が多い（アクセス頻度が高い）ということは、それだけ利用者に支持されていることになるので、アクセス回数の多い情報ほど利用者にとって有効な情報となる。
【００５９】
アクセス頻度ＤＢ２１の「識別情報」に登録される各識別情報Ｐ０００１、Ｐ０００２、・・・、Ｎ０００１、Ｎ０００２、・・・、Ｔ０００１、Ｔ０００２、・・・、Ａ０００１、Ａ０００２、・・・、Ｓ０００１、Ｓ０００２、・・・、Ｇ０００１、Ｇ０００２、・・・、Ｑ０００１、Ｑ０００２、・・・、Ｉ０００１、Ｉ０００２、・・・、Ｗ０００１、Ｗ０００２・・・、Ｋ０００１、Ｋ０００２・・・はそれぞれ、スポーツＤＢ１０のスポーツ記事識別情報、ニュースＤＢ１１のニュース記事識別情報、タレントＤＢ１２のタレント識別情報、アーティストＤＢ１３のアーティスト識別情報、映画ＤＢ１４の映画識別情報、グルメＤＢ１５のグルメ記事識別情報、ショッピングＤＢ１６のショッピング記事識別情報、イベントＤＢ１７のイベント記事識別情報、天気ＤＢ１８の天気記事識別情報、掲示板ＤＢ１９の掲示版識別情報に対応する。
【００６０】
アクセス頻度ＤＢ２１の１段目では、識別情報「Ｐ０００１」のアクセス回数が１４５８となっている。すなわち、スポーツＤＢ１０のスポーツ記事識別情報「Ｐ０００１」の行の情報（スポーツ記事など）に対するアクセス回数が１４５８となる（図４参照）。アクセス頻度ＤＢ２１の４段目では、識別情報「Ｎ０００１」のアクセス回数が５５９８７７となっている。すなわち、ニュースＤＢ１１のニュース記事識別情報「Ｎ０００１」の行の情報（ニュース記事など）に対するアクセス回数が５５９８７７となる（図５参照）。
【００６１】
アクセス頻度ＤＢ２１の７段目では、識別情報「Ｔ０００１」のアクセス回数が２４５５４６５４となっている。すなわち、タレントＤＢ１２のタレント識別情報「Ｔ０００１」の行の情報に対するアクセス回数が２４５５４６５４となっている（図６参照）。アクセス頻度ＤＢ２１の１０段目では、識別情報「Ａ０００１」のアクセス回数が２４８８となっている。すなわち、アーティストＤＢ１３のアーティスト識別情報「Ａ０００１」の行の情報に対するアクセス回数が２４８８となっている（図７参照）。
【００６２】
アクセス頻度ＤＢ２１の１３段目では、識別情報「Ｓ０００１」のアクセス回数が１２４５８７９８６となっている。すなわち、映画ＤＢ１４の映画識別情報「Ｓ０００１」の行の情報に対するアクセス回数が１２４５８７９８６となっている（図８参照）。アクセス頻度ＤＢ２１の１６段目では、識別情報「Ｇ０００１」のアクセス回数が７１６５８７９となっている。すなわち、グルメＤＢ１５のグルメ記事識別情報「Ｇ０００１」に対するアクセス回数が７１６５８７９となっている（図９参照）。
【００６３】
アクセス頻度ＤＢ２１の１９段目では、識別情報「Ｑ０００１」のアクセス回数が３４５８７となっている。すなわち、ショッピングＤＢ１６のショッピング記事識別情報「Ｑ０００１」の行の情報に対するアクセス回数が３４５８７となっている（図１０参照）。アクセス頻度ＤＢ２１の２２段目では、識別情報「Ｉ０００１」のアクセス回数が１５７６８７８６となっている。すなわち、イベントＤＢ１７のイベント記事識別情報「Ｉ０００１」の行の情報に対するアクセス回数が１５７６８７８６となっている（図１１参照）。
【００６４】
アクセス頻度ＤＢ２１の２５段目では、識別情報「Ｗ０００１」のアクセス頻度が５８６７６９となっている。すなわち、天気ＤＢ１８の天気記事識別情報「Ｗ０００１」の行の情報に対するアクセス回数が５８６７６９となっている（図１２参照）。アクセス頻度ＤＢ２１の２８段目では、識別情報「Ｋ０００１」のアクセス頻度が２３６７９８１となっている。すなわち、掲示板ＤＢ１９の掲示板識別情報「Ｋ０００１」に対するアクセス回数が２３６７９８１となっている（図１３参照）。
【００６５】
図２の説明に戻ると、制御部１６０は、各種の処理手順を規定したプログラムや制御データを格納するための内部メモリを有し、これらによって種々の処理を実行する制御手段であり、特に本発明に密接に関連するものとしては、図２に示すように、サービス提供処理部１６０ａと、コンテンツ管理部１６０ｂと、コンテンツ検索制御部１６０ｃとを備える。
【００６６】
サービス提供処理部１６０ａは、ネットワーク５０に接続された利用者の端末装置（図示しない）から、サービスコンテンツＤＢ１５０ａに記憶されたコンテンツ（スポーツＤＢ１０、ニュースＤＢ１１、タレントＤＢ１２、アーティストＤＢ１３、映画ＤＢ１４、グルメＤＢ１５、ショッピングＤＢ１６、イベントＤＢ１７、天気ＤＢ１８、掲示板ＤＢ１９に記憶された情報）に対するアクセス要求を取得した場合に、サービスコンテンツＤＢ１５０ａに記憶されたコンテンツのアクセス制御を行う処理部である。
【００６７】
例えば、サービス提供処理部１６０ａは、利用者の端末装置からスポーツ記事に関連する情報の閲覧要求（アクセス要求）を受け付けた場合には、サービスコンテンツＤＢ１５０ａのスポーツＤＢ１０に記憶されたコンテンツのうちアクセス対象となったコンテンツを利用者の端末装置に出力する。
【００６８】
コンテンツ管理部１６０ｂは、サービスコンテンツＤＢ１５０ａに記憶されたコンテンツ（スポーツＤＢ１０、ニュースＤＢ１１、タレントＤＢ１２、アーティストＤＢ１３、映画ＤＢ１４、グルメＤＢ１５、ショッピングＤＢ１６、イベントＤＢ１７、天気ＤＢ１８、掲示板ＤＢ１９、評価ＤＢ２０、アクセス頻度ＤＢ２１に記憶された情報）を管理する処理部である。具体的に、このコンテンツ管理部１６０ｂは、サービスコンテンツＤＢ１５０ａに記憶されたコンテンツに対する利用者からのアクセス回数をカウントし、カウントしたアクセス回数の累計値をアクセス頻度ＤＢ２１の「アクセス回数」に登録する（図１５参照）。
【００６９】
例えば、コンテンツ管理部１６０ｂは、スポーツＤＢ１０のスポーツ記事識別情報「Ｐ０００１」に対応するコンテンツを利用者の端末装置によってアクセスされるたびに、アクセス頻度ＤＢ「Ｐ０００１」に対応するアクセス回数の値に１をインクリメントする。
【００７０】
また、コンテンツ管理部１６０ｂは、サービスコンテンツＤＢ１５０ａに記録されたコンテンツに対する評価値を取得し、取得した評価値を評価ＤＢ２０の「評価値」に登録する（図１４参照）。この評価値は、サービスコンテンツＤＢ１５０ａに対するアクセス時に、アクセス対象となっているコンテンツの評価値を利用者の端末装置から取得することができる。例えば、スポーツＤＢ１０のスポーツ記事識別情報「Ｐ０００１」に対応するコンテンツのアクセス時に、このコンテンツに対してアクセスを行っている端末装置から評価値「８」を取得した際には、評価ＤＢ２０の識別情報「Ｐ０００１」の評価値に「８」を登録する。
【００７１】
コンテンツ検索制御部１６０ｃは、放送局２００からテレビ番組に関連するコンテンツの要求（以下、ＥＰＧ（Electronic  Program  Guide）情報と表記する）を取得した場合に、テレビ番組に関連し、かつ優先順位の高いコンテンツ（アクセス頻度が高いコンテンツおよび／または評価値の高いコンテンツ）をサービスコンテンツＤＢ１５０ａから検索し、検索した各コンテンツを放送局２００に出力する処理部である。ここで、ＥＰＧ情報のデータ構造の一例について説明する。図１６は、ＥＰＧ情報のデータ構造の一例を示す図である。
【００７２】
同図に示すように、このＥＰＧ情報は、放送局を識別する放送局コード、テンプレート情報、番組識別情報、番組名、放送日時、番組ジャンル、番組内容、スポンサー情報から構成される。ここで、テンプレート情報は、放送局２００に出力されるコンテンツのフォーマット（コンテンツの文字数、形式、データ容量など）を規定する情報である。
【００７３】
コンテンツ検索制御部１６０ｃは、ＥＰＧ情報を取得した場合に、ＥＰＧ情報に含まれる番組内容のテキスト解析を行い、テレビ番組のキーワードを検出する。そして、コンテンツ検索制御部１６０ｃは、キーワードに対応する（キーワードを含む）コンテンツをサービスコンテンツＤＢ１５０ａから検索する。例えば、検出したキーワードに「野球」が含まれている場合には、コンテンツ検索制御部１６０ｃは、キーワード「野球」とサービスコンテンツＤＢ１５０ａの各データベース１０〜１９のコンテンツとを比較し、キーワード「野球」を含むコンテンツを検索する。
【００７４】
そして、コンテンツ検索制御部１６０ｃは、コンテンツの識別情報と、評価ＤＢ２０、アクセス頻度ＤＢ２１とを比較し、検索したコンテンツのうち、評価値が規定値以上および／またはアクセス回数が規定値以上となるコンテンツのみに絞り込む。コンテンツ検索制御部１６０ｃは、絞り込んだコンテンツをテンプレート情報のファーマットに合わせて調整し、調整したコンテンツを放送局２００に出力する。以下、コンテンツ検索制御部１６０ｃから放送局２００に出力されるコンテンツの情報をコンテンツ情報と表記する。コンテンツ情報の形式はどのような形式でも構わないが、例えば、コンテンツ情報はＸＭＬ（Extensible  Markup  Language）形式によって放送局２００に出力される。
【００７５】
図１７は、コンテンツ情報のデータ構造の一例を示す図である。同図に示すように、このコンテンツ情報は、テレビ番組を識別する番組識別情報と、各種コンテンツを含む。各種コンテンツは、テンプレート情報に基づいたフォーマットに調整されているものとする。
【００７６】
さらに、コンテンツ検索制御部１６０ｃは、テレビ番組の放送中（ＥＰＧ情報の放送日時によって特定されるテレビ番組の放送期間中）に掲示版ＤＢ１９を監視し、テレビ番組の放送中に、このテレビ番組に関連する掲示版情報（あるいは、その他の詳細情報）が更新されたか否かを判定する。そして、コンテンツ検索制御部１６０ｃは、テレビ番組の放送中に、このテレビ番組に関連する掲示板情報が更新された場合には、更新された掲示板情報を掲示板更新情報として、放送局２００に出力する。図１８は、掲示版更新情報のデータ構造の一例を示す図である。同図に示すように、この掲示板更新情報は、テレビ番組を識別する番組識別情報と、掲示板情報が更新された更新日時と、更新された掲示版情報とを備える。
【００７７】
なお、コンテンツ検索制御部１６０ｃがコンテンツ情報に含ませる情報は上述した条件によって絞り込まれるコンテンツに限定されるものではない。例えば、ＥＰＧ情報に含まれるスポンサー情報を基にして、このスポンサーに関連するコンテンツをサービスコンテンツＤＢ１５０ａから検索し、放送局２００に出力されるコンテンツ情報に含ませてもよい。
【００７８】
次に、図１に示した放送局２００の構成について説明する。図１９は、本実施例にかかる放送局２００の構成を示す機能ブロック図である。同図に示すように、この放送局２００は、デジタル放送信号出力部２１０と、入力部２２０と、出力部２３０と、通信制御ＩＦ部２４０と、入出力制御ＩＦ部２５０と、記憶部２６０と、制御部２７０とを備えて構成される。
【００７９】
このうちデジタル放送信号出力部２１０は、制御部２７０によって生成される地上デジタル放送の信号を利用者のデジタルＴＶ端末３００に出力する手段である。また、入力部２２０は、各種の情報を入力する入力手段であり、キーボードやマウス、マイクなどによって構成される。なお、後述するモニタ（出力部２３０）も、マウスと協働してポインティングディバイス機能を実現する。出力部２３０は、各種の情報を出力する出力手段であり、モニタ（若しくはディスプレイ、タッチパネル）やスピーカなどによって構成される。
【００８０】
通信制御ＩＦ部２４０は、主にコンテンツ出力装置１００との間における通信を制御する手段である。入出力制御ＩＦ部２５０は、デジタル放送信号出力部２１０、入力部２２０、出力部２３０、通信制御ＩＦ部２４０、記憶部２６０、制御部２７０によるデータの入出力を制御する手段である。
【００８１】
記憶部２６０は、制御部２７０による各種処理に必要なデータおよびプログラムを記憶する記憶手段（格納手段）であり、特に本発明に密接に関連するものとしては、図１９に示すように、番組ＤＢ２６０ａと、番組情報テーブル２６０ｂと、テンプレート情報２６０ｃと、放送局コード２６０ｄとを備える。
【００８２】
このうち、番組ＤＢ２６０ａは、テレビ番組の映像データを記憶する記憶手段である。図２０は、番組ＤＢ２６０ａのデータ構造の一例を示す図である。同図に示すように、この番組ＤＢ２６０ａは、テレビ番組を識別する番組識別情報と、番組名と、映像データとを備える。
【００８３】
番組情報テーブル２６０ｂは、テレビ番組に関連する各種の情報を記憶する記憶手段である。図２１は、番組情報テーブル２６０ｂのデータ構造の一例を示す図である。同図に示すように、この番組情報テーブル２６０ｂは、テレビ番組を識別する番組識別情報と、番組名と、テレビ番組が放送される放送日時と、番組ジャンルと、番組内容と、スポンサー情報とを備える。
【００８４】
例えば、番組情報テーブル２６０ｂの１段目では、番組識別情報「Ｂ０００１」の番組名「○○ニュース」の放送日時は「２００６年１０月２日６時〜６時３０分」であり、番組ジャンルは「ニュース」であり、放送内容は「××××」であり、スポンサー情報が「○○株式会社」である旨が登録されている。
【００８５】
テンプレート情報２６０ｃは、コンテンツ出力装置１００に要求するコンテンツのフォーマット（コンテンツの文字数、形式、データ容量など）の情報をテレビ番組ごとに記憶する情報である。放送局コード２６０ｄは、放送局２００を識別する放送局コードを記憶する情報である。
【００８６】
制御部２７０は、各種の処理手順を規定したプログラムや制御データを格納するための内部メモリを有し、これらによって種々の処理を実行する制御手段であり、特に本発明に密接に関連するものとしては、図１９に示すように、番組情報生成部２７０ａと、データセット生成部２７０ｂとを備える。
【００８７】
番組情報生成部２７０ａは、コンテンツ出力装置１００に出力するＥＰＧ情報（図１６参照）を記憶部２６０に記憶された各種情報を基にして生成する処理部である。具体的に、番組情報生成部２７０ａは、テレビ番組のコンテンツをコンテンツ出力装置に要求する場合に、テレビ番組の番組識別情報と、番組情報テーブル２６０ｂとを比較して、ＥＰＧ情報に格納する各種情報（番組名、放送日時、番組ジャンル、番組内容、スポンサー情報）を検索する。また、番組情報生成部２７０ａは、テンプレート情報２６０ｃおよび放送局コード２６０ｄからテンプレート情報および放送局コードを取得する。
【００８８】
そして、番組情報生成部２７０ａは、各種の情報（放送局コード、テンプレート情報、番組名、放送日時、番組ジャンル、番組内容、スポンサー情報）を格納したＥＰＧ情報を生成し、生成したＥＰＧ情報をコンテンツ出力装置１００に出力する。なお、番組情報生成部２７０ａは、ＥＰＧ情報をテキストファイル（ＣＳＶ＜Comma  Separated  Values＞）によってコンテンツ出力装置１００に出力する。
【００８９】
データセット生成部２７０ｂは、コンテンツ出力装置１００からコンテンツ情報を取得した場合に、取得したコンテンツ情報（図１７参照）に対応するテレビ番組の映像データを番組ＤＢから検索し、コンテンツ情報に含まれる各種コンテンツを映像データに付加したデータセットを生成する処理部である。データセット生成部２７０ｂは、デジタル放送信号出力部２１０と協働して、データセットをカルーセル方式によってデジタルＴＶ端末３００に出力する。
【００９０】
また、データセット生成部２７０ｂは、テレビ番組の放送中に、当該テレビ番組に対応する掲示版更新情報（図１８参照）を取得した場合には、取得した掲示板更新情報に含まれる掲示版情報をデジタルＴＶ端末３００に出力する。
【００９１】
次に、図１に示したデジタルＴＶ端末３００の構成について説明する。図２２は、本実施例にかかるデジタルＴＶ端末３００の構成を示す機能ブロック図である。同図に示すように、このデジタルＴＶ端末３００は、デジタルＴＶチューナ３１０と、入力部３２０と、出力部３３０と、入出力制御ＩＦ部３４０と、記憶部３５０と、制御部３６０とを備えて構成される。
【００９２】
このうち、デジタルＴＶチューナ３１０は、放送局２００から出力される地上デジタル放送の陣号を同調・復調する手段である。また、入力部３２０は、各種の情報を入力する入力手段であり、キーボードやマウス、マイク、テレビの操作スイッチ（あるいはリモコン）などによって構成される。
【００９３】
なお、後述するモニタ（出力部３３０）も、マウスと協働してポインティングディバイス機能を実現する。出力部３３０は、各種の情報を出力する出力手段であり、モニタ（若しくはディスプレイ、タッチパネル）やスピーカなどによって構成される。入出力制御ＩＦ部３４０は、デジタルＴＶチューナ３１０、入力部３２０、出力部３３０、記憶部３５０、制御部３６０によるデータの入出力を制御する手段である。
【００９４】
記憶部３５０は、制御部３６０による各種処理に必要なデータおよびプログラムを記憶する記憶手段（格納手段）であり、特に本発明に密接に関連するものとしては、図２２に示すように、郵便番号情報３５０ａとデータセット３５０ｂとを備える。
【００９５】
このうち、郵便番号情報３５０ａは、デジタルＴＶ端末３００の位置（地域）を識別する郵便番号を記憶する情報である。データセット３５０ｂは、放送局２００から出力されるデータセットである。
【００９６】
制御部３６０は、各種の処理手順を規定したプログラムや制御データを格納するための内部メモリを有し、これらによって種々の処理を実行する制御手段であり、特に本発明に密接に関連するものとしては、図２２に示すように、郵便番号比較処理部３６０ａと、表示処理部３６０ｂとを備える。
【００９７】
郵便番号比較処理部３６０ａは、デジタルＴＶ端末３００と地理的に関連するコンテンツをデータセットから抽出する処理部である。具体的に、郵便番号比較処理部３６０ａは、データセットに記憶された各種コンテンツのうち、郵便番号と対応付けられたコンテンツ（グルメＤＢ１５、ショッピングＤＢ１６、イベントＤＢ１７、天気ＤＢ１８に対応するコンテンツ）を検索し、検索したコンテンツの郵便番号と、郵便番号情報３５０ａに記憶された郵便番号とを比較する。
【００９８】
そして、郵便番号比較処理部３６０ａは、郵便番号が完全あるいは部分的（例えば上３桁の郵便番号）に一致する郵便番号に対応付けられたコンテンツをデータセット３５０ｂから抽出し、抽出したコンテンツを表示処理部３６０ｂに渡す。
【００９９】
表示処理部３６０ｂは、テレビ番組の映像データおよびテレビ番組に関連するコンテンツを出力部３３０（モニタ）に出力する処理部である。具体的に、表示処理部３６０ｂは、データセット３５０ｂからテレビ番組の映像データと、郵便番号と対応付けられていないコンテンツとを取得し、郵便番号比較処理部３６０ａから地域に密接に関係したコンテンツを取得し、取得した映像データおよびコンテンツを複数のモジュール単位で出力部３３０に出力する。
【０１００】
図２３および図２４は、デジタルＴＶ端末３００のモニタに出力される画面の一例を示す図である。図２３に示すように、モニタに出力される画面は複数のモジュールに分割されている。画面上段の左側の番組枠では、テレビ番組の映像が出力され、番組枠の右側の枠では、テレビ番組の出演者、主題歌、監督の情報が出力される。また、画面下段の左側では、デジタルＴＶ端末３００の位置に密接に関連したイベント、天気、店舗が出力される。
【０１０１】
また、画面下段の中央では、各種トピックスや、劇場公開される映画の情報が出力される。また、画面下段の右側では、放映中のテレビ番組に対する利用者のコメント（掲示版）が出力される。この掲示版の情報は、コンテンツ出力装置１００の掲示板ＤＢ１９が更新されるたびに、更新された情報が反映されて出力される。
【０１０２】
図２４に示すように、画面上の特定の項目が利用者によって選択された場合は、選択された項目の詳細情報が出力される。例えば、図２４の「出演者」が選択された場合には、出演者の具体的な名前「あああ、いいい、ううう」が出力される。また、出演者「あああ」が選択された場合には、あああに関連するするプロフィール「あああに関連する生年月日、経歴、所属など」が画面に出力される。
【０１０３】
図２４に示した処理は、表示処理部３６０ｂによって行われる。すなわち、表示処理部３６０ｂが入力部３２０から所定の項目に対する選択を受け付けた場合に、選択された項目に対する詳細な情報をデータセット３５０ｂから検索し、出力部３３０から出力する。
【０１０４】
次に、本実施例にかかる地上デジタル放送システムの処理手順について説明する。図２５は、本実施例にかかる地上デジタル放送システムの処理手順を示すフローチャートである。同図に示すように、放送局２００は、ＥＰＧ情報を生成し（ステップＳ１０１）、生成したＥＰＧ情報をコンテンツ出力装置に送信する（ステップＳ１０２）。
【０１０５】
そして、コンテンツ出力装置１００は、放送局２００からＥＰＧ情報を取得し（ステップＳ１０３）、ＥＰＧ情報を基にしてコンテンツ情報を生成し（ステップＳ１０４）、生成したコンテンツ情報を放送局２００に送信する（ステップＳ１０５）。
【０１０６】
続いて、放送局２００は、コンテンツ出力装置１００からコンテンツ情報を受信し（ステップＳ１０６）、データセットを生成し（ステップＳ１０７）、カルーセル方式によるデータセットの送信を開始する（ステップＳ１０８）。デジタルＴＶ端末３００は、カルーセル方式によるデータセットの受信を開始する（ステップＳ１０９）。
【０１０７】
一方、コンテンツ出力装置１００が掲示板情報の更新を検出した場合に（ステップＳ１１０）、コンテンツ出力装置１００は掲示板更新情報を生成し（ステップＳ１１１）、掲示版更新情報を放送局２００に送信する（ステップＳ１１２）。
【０１０８】
そして、放送局２００は、コンテンツ出力装置１００から掲示板更新情報を受信し（ステップＳ１１３）、掲示版更新情報をデジタルＴＶ端末３００に送信し（ステップＳ１１４）、デジタルＴＶ端末３００は、掲示板更新情報を放送局２００から取得し（ステップＳ１１５）、掲示版を表示するモジュールの表示画面を更新する（ステップＳ１１６）。なお、ステップＳ１０８〜ステップＳ１１６までの処理は、番組放送中繰り返し実行される。
【０１０９】
このように、コンテンツ出力装置１００がテレビ番組に関連し、かつ優先順位の高いコンテンツからコンテンツ情報を生成して放送局２００に送信し、放送局２００がデータセットをデジタルＴＶ端末３００に出力するので、デジタルＴＶ端末３００にテレビ番組に関連する有効なコンテンツを提供することができる。
【０１１０】
上述してきたように、本実施例にかかるコンテンツ出力装置１００は、種々の分野（ニュース、スポーツ、タレント、アーティスト、映画、グルメ、ショッピング、イベント、天気などの分野）に関連するコンテンツをこのコンテンツの優先順位（コンテンツに対するアクセス頻度の高低、コンテンツに対する利用者の評価値の高低などをコンテンツの優先順位とする。具体的には、コンテンツに対するアクセス頻度が高いほど、コンテンツに対する評価値が高いほど優先順位が高くなる）と対応付けてサービスコンテンツＤＢ１５０ａに記憶し、放送局２００からＥＰＧ情報を取得した場合に、テレビ番組に関連するコンテンツの優先順位に基づいてサービスコンテンツＤＢ１５０ａからコンテンツを検索し、検索したコンテンツからコンテンツ情報を生成して放送局２００に出力するので、放送局２００は、テレビ番組に関連し、かつ利用者にとって不要な情報を排除したコンテンツをデジタルＴＶ端末３００に提供することができる。また、利用者は、テレビ番組に関連する多種多様な情報の中から有用な情報のみを閲覧することができ、デジタルＴＶ端末３００に表示される情報を有効に活用することができる。
【０１１１】
また、本実施例にかかるコンテンツ出力装置１００は、一般の利用者端末（ネットワーク５０に接続された端末装置）によって閲覧可能なサービスコンテンツＤＢ１５０ａに基づいて、放送局２００に出力するコンテンツ情報を生成するので、サービスコンテンツＤＢ１５０ａに記録された各種情報をコンテンツ情報生成以外の目的でも使用することができ、サービスコンテンツＤＢ１５０ａに記録された各種情報を有効に利用することができる。
【０１１２】
また、本実施例にかかるコンテンツ出力装置１００は、掲示板ＤＢ１９に記録されたコンテンツが更新された場合に、掲示板更新情報を放送局２００に出力するので、データ番組に対する様々な利用者の意見をリアルタイムにデジタルＴＶ端末３００に提供することができる。
【０１１３】
また、本実施例にかかるコンテンツ出力装置１００は、サービスコンテンツＤＢ１５０ａにコンテンツと密接に関連する地域の識別情報（郵便番号）をコンテンツと対応付けて記憶し、かかる識別情報をコンテンツと対応付けて放送局２００に出力するので、デジタルＴＶ端末３００の利用者にデジタルＴＶ端末３００が位置する地域と密接な関連があるコンテンツを提供することができる。
【０１１４】
なお、本実施例では一例として、コンテンツ出力装置１００は、掲示板ＤＢ１９が更新された場合に、掲示板更新情報を放送局２００に出力していたが、これに限定されるものではなく、サービスコンテンツＤＢ１５０ａに記録されたＤＢ１０〜１９が更新された場合でも同様に更新されたコンテンツを放送局２００に出力してもよい。
【０１１５】
また、本実施例では一例として、テレビ番組に対する利用者の意見の情報を掲示板ＤＢ１９に記憶させ、かかる掲示板の情報を放送局２００に出力していたが、これに限定されるものではなく、例えば、利用者によって作成されたテレビ番組に対するブログの情報を関連づけて記憶し、かかるブロクの情報をテレビ番組に対する利用者の意見として放送局２００に出力してもよい。
【０１１６】
また、本実施例では、地域を識別する地域情報として郵便番号を用いて説明したが、これに限定されるものではなく、例えば、郵便番号の代わりに全国地方公共団体コードなどを用いることができる。
【０１１７】
ところで、上記実施例で説明したコンテンツ出力装置１００の処理は、あらかじめ用意されたプログラムをコンピュータで実行することによって実現することができる。そこで、以下では、図２６を用いて、各種処理を実現するプログラムを実行するコンピュータの一例について説明する。
【０１１８】
図２６は、図２に示したコンテンツ出力装置１００を構成するコンピュータのハードウェア構成を示す図である。このコンピュータは、ユーザからのデータの入力を受け付ける入力装置３０、モニタ３１、ＲＡＭ（Random  Access  Memory）３２、ＲＯＭ（Read  Only  Memory）３３、各種プログラムを記録した記録媒体からプログラムを読み取る媒体読取装置３４、ネットワークを介して他のコンピュータとの間でデータの授受をおこなうネットワークインターフェース３５、ＣＰＵ（Central  Processing  Unit）３６、および、ＨＤＤ（Hard  Disk  Drive）３７をバス３８で接続して構成される。
【０１１９】
そして、ＨＤＤ３７には、上述したコンテンツ出力装置１００の機能と同様の機能を発揮する各種プログラム３７ｂが記憶されている。そして、ＣＰＵ３６が、各種プログラム３７ｂをＨＤＤ３７から読み出して実行することにより、上述したコンテンツ出力装置１００の機能部の機能を実現する各種プロセス３６ａが起動される。この各種プロセス３６ａは、図２に示したサービス提供処理部１６０ａ、コンテンツ管理部１６０ｂ、コンテンツ検索制御部１６０ｃに対応する。
【０１２０】
また、ＨＤＤ３７には、上述したコンテンツ出力装置１００の記憶部に記憶されるデータに対応する各種データ３７ａが記憶される。この各種データ３７ａは、図２に示したサービスコンテンツＤＢ１５０ａに対応する。ＣＰＵ３６は、各種データ３７ａをＨＤＤ３７に記憶するとともに、各種データ３７ａをＨＤＤ３７から読み出してＲＡＭ３２に格納し、ＲＡＭ３２に格納された各種データ３２ａに基づいてデータ処理を実行する。
【０１２１】
ところで、各種プログラム３７ｂは、必ずしも最初からＨＤＤ３７に記憶させておく必要はない。たとえば、コンピュータに挿入されるフレキシブルディスク（ＦＤ）、ＣＤ−ＲＯＭ、ＤＶＤディスク、光磁気ディスク、ＩＣカードなどの「可搬用の物理媒体」、または、コンピュータの内外に備えられるハードディスクドライブ（ＨＤＤ）などの「固定用の物理媒体」、さらには、公衆回線、インターネット、ＬＡＮ、ＷＡＮなどを介してコンピュータに接続される「他のコンピュータ（またはサーバ）」などに各種プログラム３７ｂを記憶しておき、コンピュータがこれらから各種プログラム３７ｂを読み出して実行するようにしてもよい。
【０１２２】
さて、これまで本発明の実施例について説明したが、本発明は上述した実施例以外にも、特許請求の範囲に記載した技術的思想の範囲内において種々の異なる実施例にて実施されてもよいものである。
【０１２３】
また、本実施例において説明した各処理のうち、自動的におこなわれるものとして説明した処理の全部または一部を手動的におこなうこともでき、あるいは、手動的におこなわれるものとして説明した処理の全部または一部を公知の方法で自動的におこなうこともできる。
【０１２４】
この他、上記文書中や図面中で示した処理手順、制御手順、具体的名称、各種のデータやパラメータを含む情報については、特記する場合を除いて任意に変更することができる。
【０１２５】
また、図示した各装置の各構成要素は機能概念的なものであり、必ずしも物理的に図示のように構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。
【０１２６】
さらに、各装置にて行なわれる各処理機能は、その全部または任意の一部が、ＣＰＵおよび当該ＣＰＵにて解析実行されるプログラムにて実現され、あるいは、ワイヤードロジックによるハードウェアとして実現され得る。
【産業上の利用可能性】
【０１２７】
以上のように、本発明にかかるコンテンツ出力プログラム、コンテンツ出力方法およびコンテンツ出力装置は、地上デジタル放送を利用者の端末に送信するシステムなどに有用であり、特に、テレビ番組に関連し利用者にとって有益な情報を利用者の端末に提供する場合に適している。
【図面の簡単な説明】
【０１２８】
【図１】本実施例にかかる地上デジタル放送システムの構成を示す図である。
【図２】コンテンツ出力装置の構成を示す機能ブロック図である。
【図３】サービスコンテンツＤＢのデータ構造の一例を示す図である。
【図４】スポーツＤＢのデータ構造の一例を示す図である。
【図５】ニュースＤＢのデータ構造の一例を示す図である。
【図６】タレントＤＢのデータ構造の一例を示す図である。
【図７】アーティストＤＢのデータ構造の一例を示す図である。
【図８】映画ＤＢのデータ構造の一例を示す図である。
【図９】グルメＤＢのデータ構造の一例を示す図である。
【図１０】ショッピングＤＢのデータ構造の一例を示す図である。
【図１１】イベントＤＢのデータ構造の一例を示す図である。
【図１２】天気ＤＢのデータ構造の一例を示す図である。
【図１３】掲示板ＤＢのデータ構造の一例を示す図である。
【図１４】評価ＤＢのデータ構造の一例を示す図である。
【図１５】アクセス頻度ＤＢのデータ構造の一例を示す図である。
【図１６】ＥＰＧ情報のデータ構造の一例を示す図である。
【図１７】コンテンツ情報のデータ構造の一例を示す図である。
【図１８】掲示版更新情報のデータ構造の一例を示す図である。
【図１９】本実施例にかかる放送局の構成を示す機能ブロック図である。
【図２０】番組ＤＢのデータ構造の一例を示す図である。
【図２１】番組情報テーブルのデータ構造の一例を示す図である。
【図２２】本実施例にかかるデジタルＴＶ端末の構成を示す機能ブロック図である。
【図２３】デジタルＴＶ端末のモニタに出力される画面の一例を示す図（１）である。
【図２４】デジタルＴＶ端末のモニタに出力される画面の一例を示す図（２）である。
【図２５】本実施例にかかる地上デジタル放送システムの処理手順を示すフローチャートである。
【図２６】図２に示したコンテンツ出力装置を構成するコンピュータのハードウェア構成を示す図である。
【符号の説明】
【０１２９】
１０    スポーツＤＢ
１１    ニュースＤＢ
１２    タレントＤＢ
１３    アーティストＤＢ
１４    映画ＤＢ
１５    グルメＤＢ
１６    ショッピングＤＢ
１７    イベントＤＢ
１８    天気ＤＢ
１９    掲示板ＤＢ
２０    評価ＤＢ
２１    アクセス頻度ＤＢ
３０    入力装置
３１    モニタ
３２    ＲＡＭ
３２ａ，３７ａ  各種データ
３３    ＲＯＭ
３４    媒体読取装置
３５    ネットワークインターフェース
３６    ＣＰＵ
３６ａ  各種プロセス
３７    ＨＤＤ
３７ｂ  各種プログラム
３８    バス
５０    ネットワーク
１００    コンテンツ出力装置
１１０，２２０，３２０    入力部
１２０，２３０，３３０    出力部
１３０，２４０    通信制御ＩＦ部
１４０，２５０，３４０    入出力制御ＩＦ部
１５０，２６０，３５０    記憶部
１５０ａ  サービスコンテンツＤＢ
１６０，２７０，３６０    制御部
１６０ａ  サービス提供処理部
１６０ｂ  コンテンツ管理部
１６０ｃ  コンテンツ検索制御部
２００    放送局
２１０    デジタル放送信号出力部
２６０ａ  番組ＤＢ
２６０ｂ  番組情報テーブル
２６０ｃ  テンプレート情報
２６０ｄ  放送局コード
２７０ａ  番組情報生成部
２７０ｂ  データセット生成部
３００    デジタルＴＶ端末
３１０    デジタルＴＶチューナ
３５０ａ  郵便番号情報
３５０ｂ  データセット
３６０ａ  郵便番号比較処理部
３６０ｂ  表示処理部
【図１】
2008109497.tif 000003
【図２】
2008109497.tif 000004
【図３】
2008109497.tif 000005
【図４】
2008109497.tif 000006
【図５】
2008109497.tif 000007
【図６】
2008109497.tif 000008
【図７】
2008109497.tif 000009
【図８】
2008109497.tif 000010
【図９】
2008109497.tif 000011
【図１０】
2008109497.tif 000012
【図１１】
2008109497.tif 000013
【図１２】
2008109497.tif 000014
【図１３】
2008109497.tif 000015
【図１４】
2008109497.tif 000016
【図１５】
2008109497.tif 000017
【図１６】
2008109497.tif 000018
【図１７】
2008109497.tif 000019
【図１８】
2008109497.tif 000020
【図１９】
2008109497.tif 000021
【図２０】
2008109497.tif 000022
【図２１】
2008109497.tif 000023
【図２２】
2008109497.tif 000024
【図２３】
2008109497.tif 000025
【図２４】
2008109497.tif 000026
【図２５】
2008109497.tif 000027
【図２６】
2008109497.tif 000028